(57)【要約】【課題】容器部の内部全域に好みの表示部をあらわせることができ、食事を進めるうちに様々なメッセージを見ることができて食事の楽しみが大きくなり、しかも、表示部を自由に変更できる食品収納容器を提供することを目的とする。【解決手段】透明底壁部10と、底壁部10の外周に立設された筒状透明内側壁部11と、内側壁部11の上端縁11ａから外側へ折返され内側壁部11との間に下方開口状の筒状空隙を形成する透明外側壁部12とから成る容器本体１を備える。かつ、容器本体１の外側壁部12の下縁部に着脱自在として密封状に取付けられ底壁部10との間に底面空隙を形成する浅皿状底蓋２を備える。かつ、筒状に巻かれた状態で筒状空隙に抜差自在に収納され内面に文字・模様・図形・写真等のメッセージ表示部30が付された帯状紙葉３を備える。さらに、底面空隙内に出入自在に収納され上面にメッセージ表示部40が付された平面状紙葉４を備える。【選択図】図１
2008029554.tif 000002
【特許請求の範囲】
【請求項１】
透明底壁部（10）と、該底壁部（10）の外周に立設された筒状透明内側壁部（11）と、該内側壁部（11）の上端縁（11ａ）から外側へ折返され該内側壁部（11）との間に下方開口状の筒状空隙（19）を形成する透明外側壁部（12）とから成る容器本体（１）を備え、  かつ、上記容器本体（１）の上記外側壁部（12）の下縁部（13）に着脱自在として密封状に取付けられ上記底壁部（10）との間に底面空隙（29）を形成する浅皿状底蓋（２）と、筒状に巻かれた状態で上記筒状空隙（19）に抜差自在に収納され内面（３ａ）に文字・模様・図形・写真等のメッセージ表示部（30）が付された帯状紙葉（３）と、上記底面空隙（29）内に出入自在に収納され上面に文字・模様・図形・写真等のメッセージ表示部（40）が付された平面状紙葉（４）とを、備えたことを特徴とする食品収納容器。
【請求項２】
上記内側壁部（11）は、下方へ緩やかに縮径状に形成され、かつ、上記外側壁部（12）は、下方へ緩やかに拡径状に形成され、
さらに、上記筒状空隙（19）内において、筒状に巻かれた状態で上記帯状紙葉（３）を上記外側壁部（12）の内周面（14）に押し付ける帯状の透明押圧薄板材（５）を備えた請求項１記載の食品収納容器。
【請求項３】
上記透明押圧薄板材（５）及び上記帯状紙葉（３）は、大きな曲率半径をもって緩やかに弯曲形成された請求項２記載の食品収納容器。
【請求項４】
上記透明押圧薄板材（５）は、上記帯状紙葉（３）の型取りゲージに兼用される請求項３記載の食品収納容器。
【請求項５】
上記外側壁部（12）の下縁部（13）の外周面（13ａ）は、下向きの小段差部（17）をもって、上記浅皿状底蓋（２）が外嵌状に着脱する差込雄部（16）が形成され、
かつ、該差込雄部（16）にリング状シール材（６）が外嵌されると共に、該シール材（６）が、上記小段差部（17）と、上記浅皿状底蓋（２）の上端縁（20）とにより挟持される請求項１，２，３又は４記載の食品収納容器。
【発明の詳細な説明】
【技術分野】
【０００１】
本発明は、弁当箱等の食品収納容器に関するものである。
【背景技術】
【０００２】
従来の食品収納容器は、ご飯等を収納する容器部の底面に広告文字を表示し、食事を進めるにつれて広告文字を見ることができるようになるものが知られている（例えば、特許文献１参照）。
【特許文献１】実用新案登録第３０２０３３２号公報
【発明の開示】
【発明が解決しようとする課題】
【０００３】
従来のこの食品収納容器は、伝言等のメッセージ表示があるのは底面のみなので、底面が露出するまで食事を進めなければ表示を見ることができず、表示が食事を進めながらすぐに目に入るように工夫されていない。また、表示は、容器部の底面に直接印刷等をしたものなので、新しく食品を入れて使用する度に頻繁にメッセージを変更することはできない。このように様々な表示に変更して、わくわくしながら食事を楽しむものではない。
【０００４】
そこで、本発明は、容器部の内部全域に好みのメッセージをあらわせることができ、食事を進めるうちに様々なメッセージを見ることができて食事の楽しみが大きくなり、しかも、表示部を自由に変更できる食品収納容器を提供することを目的とする。
【課題を解決するための手段】
【０００５】
上記目的を達成するために、本発明に係る食品収納容器は、透明底壁部と、該底壁部の外周に立設された筒状透明内側壁部と、該内側壁部の上端縁から外側へ折返され該内側壁部との間に下方開口状の筒状空隙を形成する透明外側壁部とから成る容器本体を備え、かつ、上記容器本体の上記外側壁部の下縁部に着脱自在として密封状に取付けられ上記底壁部との間に底面空隙を形成する浅皿状底蓋と、筒状に巻かれた状態で上記筒状空隙に抜差自在に収納され内面に文字・模様・図形・写真等のメッセージ表示部が付された帯状紙葉と、上記底面空隙内に出入自在に収納され上面に文字・模様・図形・写真等のメッセージ表示部が付された平面状紙葉とを、備えている。
【０００６】
また、上記内側壁部は、下方へ緩やかに縮径状に形成され、かつ、上記外側壁部は、下方へ緩やかに拡径状に形成され、さらに、上記筒状空隙内において、筒状に巻かれた状態で上記帯状紙葉を上記外側壁部の内周面に押し付ける帯状の透明押圧薄板材を備えた。
また、上記透明押圧薄板材及び上記帯状紙葉は、大きな曲率半径をもって緩やかに弯曲形成された。
また、上記透明押圧薄板材は、上記帯状紙葉の型取りゲージに兼用される。
また、上記外側壁部の下縁部の外周面は、下向きの小段差部をもって、上記浅皿状底蓋が外嵌状に着脱する差込雄部が形成され、かつ、該差込雄部にリング状シール材が外嵌されると共に、該シール材が、上記小段差部と、上記浅皿状底蓋の上端縁とにより挟持される。
【発明の効果】
【０００７】
本発明は、次のような著大な効果を奏する。
本発明に係る食品収納容器は、透明底壁部と、底壁部の外周に立設された筒状透明内側壁部と、内側壁部の上端縁から外側へ折返され内側壁部との間に下方開口状の筒状空隙を形成する透明外側壁部とから成る容器本体を備え、内面に文字・模様・図形・写真等のメッセージ表示部が付された帯状紙葉が、筒状に巻かれた状態で筒状空隙に抜差自在に収納されるので、容器本体の内部にメッセージ表示部をあらわすことができ、ご飯を食べ進めるうちに、容器本体内に、伝言や、好きな写真等が見え出すので、食事をする楽しみが非常に大きくなる。
また、容器本体の外側壁部の下縁部には浅皿状底蓋が取付けられ、容器本体の底壁部と浅皿状底蓋の間に形成した底面空隙に、上面にメッセージ表示部が付された平面状紙葉が収納されるので、容器本体の底壁部にもメッセージ表示部をあらわすことができ、食事を一層楽しめる。
しかも、底蓋は容器本体に着脱自在なので、帯状紙葉・平面状紙葉を自由に交換することにより、異なるメッセージ表示部に変えることができ、繰り返し使用しても飽きることがなく、食事を楽しめる。
【発明を実施するための最良の形態】
【０００８】
以下、実施の形態を示す図面に基づき、本発明を詳説する。
図１，図２は本発明に係る食品収納容器の実施の一形態を示し、この食品収納容器は、透明底壁部10と、底壁部10の外周に立設された筒状透明内側壁部11と、内側壁部11の上端縁11ａから外側へ折返され内側壁部11との間に下方開口状の筒状空隙19を形成する透明外側壁部12とから成る容器本体１を備える。底壁部10は円板状に形成されている。そして、底壁部10・内側壁部11・外側壁部12は、透明なプラスチック等の樹脂から一体に形成されたものである。また、外側壁部12は、その下端縁部18が底壁部10よりも所定寸法下方へ突出するように、形成される。
また、内側壁部11は、下方へ緩やかに縮径状に形成され、かつ、外側壁部12は、下方へ緩やかに拡径状に形成されており、両壁部11，12が成す筒状空隙19は、下方へと次第に拡開していく。
また、内側壁部11・外側壁部12は共に水平断面円形状を有する。また、外側壁部12の下縁部13の外周面13ａは、下向きの小段差部17をもって、後述の浅皿状底蓋２が外嵌状に着脱する差込雄部16が形成されており、差込雄部16は雄ネジを有する。
かつ、下縁部13の外周面13ａには、リング状シール材６が、小段差部17に当接状として外嵌される。９は、容器本体１の上部を背蓋される蓋体である。
【０００９】
そして、容器本体１の筒状空隙19には、帯状紙葉３が筒状に巻かれた状態で抜差自在に収納される。帯状紙葉３は、大きな曲率半径をもって緩やかに弯曲形成された（緩やかに弯曲状の扇型に形成された）紙から成り、筒状に巻かれた状態における内面３ａに、文字・模様・図形・写真等のメッセージ表示部30が付されている（図４，図５参照）。
また、筒状空隙19には、帯状の透明押圧薄板材５が、筒状に巻かれた状態で、帯状紙葉３の内側に配設される。透明押圧薄板材５は薄い透明プラスチックから成り、帯状紙葉３と同じ形状を有する。よって、薄板材５と帯状紙葉３は巻かれた状態では下方へ緩やかに拡径する形状である（図２，図５参照）。また、透明押圧薄板材５は、帯状に戻る復元力により、帯状紙葉３を外側壁部12の内周面14に押し付ける。
【００１０】
そして、容器本体１の筒状空隙19に収納された帯状紙葉３の内面３ａのメッセージ表示部30が、透明押圧薄板材５及び透明内側壁部11を透過して容器の内側から見られる。メッセージ表示部30は、例えば、弁当箱として使う場合に作る人から食べる人への伝言を記した文字や、好みの野球球団のマークを表示した模様や、家族や好きな芸能人の写真等が挙げられる。
【００１１】
また、透明押圧薄板材５は、帯状紙葉３の型取りゲージに兼用される。即ち、大きな紙の上に透明押圧薄板材５を押し当てて、薄板材５の縁に沿って線を引き、縁取りされた線に沿って切り取れば帯状紙葉３が形成されるので、作製が容易である。
なお、図示省略するが、帯状紙葉３は、筒状に巻かれた状態における外面３ｂにも、文字・模様・図形・写真等のメッセージ表示部30が付されてもよく、この場合、帯状紙葉３の外面３ｂのメッセージ表示部30が、透明外側壁部12を透過して、容器の外側から見られる。
【００１２】
また、本発明の食品収納容器は、容器本体１の外側壁部12の下縁部13に着脱自在として密封状に取付けられ容器本体１の底壁部10との間に底面空隙29を形成する浅皿状底蓋２を備える。浅皿状底蓋２は、後述の平面状紙葉４が載置される底板部21と、底板部21の外周を上方へ折曲状に立設された短筒状の外嵌壁部23と、が一体に形成されたものであり、プラスチック等から成る。また、外嵌壁部23の内周面には、容器本体１の外側壁部12の差込雄部16に螺着する雌ネジが形成されている。
上述のように、容器本体１の外側壁部12の下端縁部18が、底壁部10よりも所定寸法突出して形成されているので、底蓋２の底板部21と容器本体１の底壁部10との間に形成される底面空隙29は、上下に一定の寸法を有する。
そして、上面に文字・模様・図形・写真等のメッセージ表示部40が付された平面状紙葉４が、底面空隙29内に出入自在に収納される。平面状紙葉４は、浅皿状底蓋２の底板部21の上面よりも僅かに小さな、円形状に形成される。平面状紙葉４のメッセージ表示部40が、透明底壁部10を透過して、容器の内側から見られる。
【００１３】
また、容器本体１と浅皿状底蓋２の間には、帯状紙葉３及び薄板材５の下端縁を受けると共に平面状紙葉４を浅皿状底蓋２の底板部21に押し付ける環状保持部材８が、配設される。具体的には、環状保持部材８は、上方から下方へ緩やかに拡径する短円筒部８ａと、短円筒部８ａの下縁縁部に形成された外鍔部８ｂとを有する。そして、容器本体１に底蓋２を取付けたセット状態では、環状保持部材８の短円筒部８ａが、容器本体１の底壁部10と内側壁部11のコーナー近傍を下方から受けると共に、環状保持部材８の外鍔部８ｂは、帯状紙葉３と薄板材５の下縁部、及び、外側壁部12の下端縁部18を下方から受け、かつ、平面状紙葉４の周縁部を、底蓋２の底板部21上に押し付ける（図２参照）。また、環状保持部材８は、周方向に一ケ所の縦状切れ目を有すると共に、短円筒部８ａの上端から切り込まれたスリットが、周方向に所定ピッチで複数形成されており、容器本体１を柔軟に受けることができる。
【００１４】
また、図７は本発明に係る食品収納容器の他の実施の形態を示し、図２，図６の食品収納容器とは、浅皿状底蓋２に容器本体１が外嵌状に着脱自在となる点で相違する。
具体的には、外側壁部12の差込雄部16は、下方へ緩やかに膨出するテーパ状に形成される。かつ、底蓋２の外嵌壁部23の内周面は、容器本体１の差込雄部16に外嵌して係止するように下方へ拡径するテーパ面が形成される。かつ、底蓋２は弾性変形可能なプラスチック等から形成されている。この構成により、底蓋２は、容器本体１の差込雄部16に着脱自在に外嵌されると共に、外嵌された状態で強く係止した状態で保持されるので、不意に外れる虞れがなく、かつ、シール材６が、容器本体１の小段差部17と、底蓋２の上端縁20とにより強く挟持され、一層密封性がよくなる。
また、容器本体１に底蓋２を外嵌状に着脱するものなので、容器本体１の底壁部10・内側壁部11・外側壁部12、及び、浅皿状底蓋２を、平面視多角形状・楕円形状・星型等の様々な形状にすることが可能である。
さらに、図７の食品収納容器は、容器本体１と底蓋２の間に、環状保持部材８（図２参照）が省略されている。具体的には、容器本体１の外側壁部12の下端縁部18が直接、平面状紙葉４に当接して、底蓋２の底板部21上に押し付ける。なお、図２，図６の食品収納容器においても、環状保持部材８を省略した構成とするもよい。
【００１５】
次に、本発明に係る食品収納容器の使用方法について説明する。
先ず、図３に示した透明押圧薄板材５、及び、図４に示したメッセージ表示部30を付した帯状紙葉３を用意する。メッセージ表示部30は、筒状紙葉３が巻状態となるときの内面３ａのみ付されても、あるいは、内面３ａ・外面３ｂの両面に付されてもよい。また、上面にメッセージ表示部40を付した平面状紙葉４を用意しておく。
そして、図５に示したように、透明押圧薄板材５と帯状紙葉３とを、夫々の両端が上方へ弯曲するように重ねると共に、薄板材５が内側になるように筒状に巻く。
そして、図６に於て、筒状に巻かれた薄板材５・帯状紙葉３を、容器本体１の下方から筒状空隙19に差込む。筒状空隙19は下方へと拡がって開口しているので、差込易い。
また、外側壁部12の下縁部13に、シール材６を外嵌する。そして、容器本体１の外側壁部12の下縁部13に、環状保持部材８と平面状紙葉４とを順に挟んだ状態で、浅皿状底蓋２を螺着して、図１，図２に示した状態まで締め付ければセット完了である。
【００１６】
このとき、容器本体１の内部からは、透明内側壁部11を通して、帯状紙葉３のメッセージ表示部30を見ることができると共に、透明底壁部10を通して、平面状紙葉４のメッセージ表示部40を見ることができる。また、図示を省略したが、帯状紙葉３の外面３ｂにもメッセージ表示部が付されていれば、外側から透明外側壁部12を通して見ることができる。メッセージ表示部30，40を、例えば食事する人への伝言とすれば、容器本体１内の食品を食べ進めるうちに、徐々に内側壁部11、底壁部10にメッセージ表示部30，40があらわれてくるので、食事を楽しむことができる。
【００１７】
また、筒状空隙19内において、透明押圧薄板材５の平板状態へ戻ろうとする性質（平板状態への復元力）により、帯状紙葉３は、内周面14に押し付けられて保持されるので（図２参照）、容器本体１の内部（内側壁部11の内側）に熱い食品を入れた場合に、熱は帯状紙葉３に伝わらず、熱による劣化は防がれる。また、冷たい食品を入れた場合に内側壁部11の外周面に水滴が発生しても、帯状紙葉３には水滴が付着せず、帯状紙葉３の劣化を防ぐことができると共に、ペン字や印刷等により付されたメッセージ表示部30をにじませるのを防ぐことができる。
また、平面状紙葉４は、容器本体１の外側壁部12の下端縁部18（環状保持部材８の外鍔部８ｂ）に押さえられ、底蓋２の底板部21上に当接した状態で保持される。よって、上述の帯状紙葉３の場合と同様に、容器本体１内に入れられた熱い食品や冷たい食品の影響を受けず、メッセージ表示部40がにじんだり、平面状紙葉４自体の劣化が防がれる。
【００１８】
また、容器を揺動させても、帯状紙葉３は外側壁部12の内周面14に密着状に保たれると共に、平面状紙葉４が底蓋２の底板部21に密着状に保たれるので、空隙19，29内で移動したり皺が寄ることがなく、見易い状態が保たれる。
また、シール材６が、容器本体１の小段差部17と、浅皿状底蓋２の上端縁20とにより挟持されて、容器本体１と底蓋２の密封性が高まり、内部に水・塵等が入り込むのが確実に防がれる。
また、食品が入れられる内側壁部11・底壁部10と、外側壁部12と底蓋２との間に空隙19，29が設けられていることから、保温性が非常によく、食品の温度が長時間保たれる。
【００１９】
以上のように、本発明に係る食品収納容器は、透明底壁部10と、底壁部10の外周に立設された筒状透明内側壁部11と、内側壁部11の上端縁11ａから外側へ折返され内側壁部11との間に下方開口状の筒状空隙19を形成する透明外側壁部12とから成る容器本体１を備え、かつ、容器本体１の外側壁部12の下縁部13に着脱自在として密封状に取付けられ底壁部10との間に底面空隙29を形成する浅皿状底蓋２と、筒状に巻かれた状態で筒状空隙19に抜差自在に収納され内面３ａに文字・模様・図形・写真等のメッセージ表示部30が付された帯状紙葉３と、底面空隙29内に出入自在に収納され上面に文字・模様・図形・写真等のメッセージ表示部40が付された平面状紙葉４とを、備えているので、容器本体１の内側壁部11・底壁部10にメッセージ表示部30，40があらわれるため、ご飯を食べ進めるうちに、容器本体１内に、伝言や、好きな写真等が見え出してくるので、食事をする楽しみが非常に大きくなる。また、底蓋２は容器本体１に着脱自在なので、帯状紙葉３・平面状紙葉４を交換することにより、相違するメッセージ表示部30，40へと変えることができ、繰り返し使用しても飽きることがなく、食事を楽しめる。
また、食品が入れられる内側壁部11・底壁部10と、外側壁部12と底蓋２との間に空隙19，29が設けられていることから、保温性が非常によく、食品の温度が長時間保たれる。
【００２０】
また、内側壁部11は、下方へ緩やかに縮径状に形成され、かつ、外側壁部12は、下方へ緩やかに拡径状に形成され、さらに、筒状空隙19内において、筒状に巻かれた状態で帯状紙葉３を外側壁部12の内周面14に押し付ける帯状の透明押圧薄板材５を備えているので、帯状紙葉３を外側壁部12の内周面14に押し付けた状態で確実に保つことができ、容器本体１の内部（内側壁部11の内側）に熱い食品を入れた場合に、熱は帯状紙葉３に伝わらず、熱による劣化を防ぐことができる。また、（万一、シール材６が緩んだり傷付いて水分が筒状空隙19内に浸入したとき、）冷たい食品を入れた場合に内側壁部11の外周面に水滴が発生しても、帯状紙葉３には水滴が付着せず、帯状紙葉３の劣化を防ぐことができると共に、ペン字や印刷等により付されたメッセージ表示部30がにじむのを防ぐことができる。
また、容器を揺動させても、帯状紙葉３は外側壁部12の内周面14に密着状に保たれるので、空隙19内で移動したり皺が寄ることがなく、見易い状態が保たれる。
【００２１】
また、透明押圧薄板材５及び帯状紙葉３は、大きな曲率半径をもって緩やかに弯曲形成されているので、透明押圧薄板材５及び帯状紙葉３を巻いて筒状にした場合に、下方へ緩やかに拡開するテーパ状にすることができる。よって、帯状紙葉３と薄板材５を、容器本体１の外側壁部12の内周面14に確実に沿わせて保持できる。
【００２２】
また、透明押圧薄板材５は、帯状紙葉３の型取りゲージに兼用されるので、異なる種類のメッセージ表示部30を付した帯状紙葉３を、容易に多く作り出すことができる。
【００２３】
また、外側壁部12の下縁部13の外周面13ａは、下向きの小段差部17をもって、浅皿状底蓋２が外嵌状に着脱する差込雄部16が形成され、かつ、差込雄部16にリング状シール材６が外嵌されると共に、シール材６が、小段差部17と、浅皿状底蓋２の上端縁20とにより挟持されるので、容器本体１と底蓋２の密封性が高まり、内部に水・塵等が入り込むのが確実に防がれる。従って、紙葉３，４が水に濡れて劣化したり塵により汚れるのを防ぐことができる。
【図面の簡単な説明】
【００２４】
【図１】本発明に係る食品収納容器の実施の一形態を示す斜視図である。
【図２】断面側面図である。
【図３】透明押圧薄板材を示す説明用正面図である。
【図４】帯状紙葉を示す説明用正面図である。
【図５】透明押圧薄板材と帯状紙葉とを巻いた状態を示す説明用斜視図である。
【図６】分解した状態を示す説明用断面側面図である。
【図７】本発明に係る食品収納容器の他の実施の形態を示す要部断面側面図である。
【符号の説明】
【００２５】
１  容器本体
２  浅皿状底蓋
３  帯状紙葉
３ａ  内面
４  平面状紙葉
５  透明押圧薄板材
６  シール材
10  底壁部
11  内側壁部
11ａ  上端縁
12  外側壁部
13  下縁部
13ａ  外周面
14  内周面
16  差込雄部
17  小段差部
19  筒状空隙
20  上端縁
29  底面空隙
30  メッセージ表示部
40  メッセージ表示部
【図１】
2008029554.tif 000003
【図２】
2008029554.tif 000004
【図３】
2008029554.tif 000005
【図４】
2008029554.tif 000006
【図５】
2008029554.tif 000007
【図６】
2008029554.tif 000008
【図７】
2008029554.tif 000009